(57)【要約】【解決手段】上部フレーム１と、底部２と、はね上げ側壁３と、上部分割側壁４’と下部分割側壁４”とからなる分割側壁４とを有する折り畳みコンテナーにおいて、蓋５或いは底部２の上部フレーム１への嵌合を容易にするために、上部フレームの平坦な垂直内面１ｂ１に、該垂直内面を外側に凹ますことにより、凹部６を形成したものである。【効果】上部フレームへの蓋の嵌合がきつくなって、上部フレームへの蓋の嵌合作業や蓋開け作業の作業性が悪くなるというようなことを防止することができるとともに、上部フレームの変形により、上部フレームへの蓋の嵌合ができなくなるというような問題を解消することができる。【選択図】図１
2004161303.tif 000002
【特許請求の範囲】
【請求項１】
上部フレームと、底部と、はね上げ側壁と、上部分割側壁と下部分割側壁とからなる分割側壁とを有する折り畳みコンテナーにおいて、蓋或いは底部の上部フレームへの嵌合を容易にするために、上部フレームの平坦な垂直内面に、該垂直内面を外側に凹ますことにより、凹部を形成したことを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
図２〜図５を用いて、従来の折り畳みコンテナーについて説明する。
【０００３】
折り畳みコンテナーの本体Ｃは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された側壁（以下、この側壁を、分割側壁という。）４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
折り畳みコンテナーの本体Ｃに被蓋される蓋５は、一対の半蓋体５’により構成されており、半蓋体５’の直線状の長辺部５ａが、適当なヒンジ部材Ｈ１により、上部フレーム１の相対する長辺枠１ａにヒンジ連結されている。また、半蓋体５’の直線状の長辺部５ａと相対する辺部には、複数の凸部５ｂが形成されている。また、半蓋体５’の略横長の長方形状の板部５ｃの内面（折り畳みコンテナーの本体Ｃを、一対の半蓋体５’で被蓋した際に、折り畳みコンテナーの本体Ｃの内部側に位置する面）５ｃ１には、半蓋体５’の周縁より内側に位置するとともに、板部５ｃに略垂直な嵌合リブ５ｄが形成されている。嵌合リブ５ｄは、少なくとも、半蓋体５’の相対する短辺部５ｅに平行な一対の短辺嵌合リブ部５ｄ１を有しており、必要に応じて適宜、半蓋体５’の直線状の長辺部５ｂに平行な長辺嵌合リブ部５ｄ１２を有している。箱型に組み立てられた折り畳みコンテナーの本体Ｃを、一対の半蓋体５’で被蓋した際には、一方の半蓋体５’に形成された複数の凸部５ｂが、もう一方の半蓋体５’の凸部５ｂに形成された窪み部間に挿入されるように構成されている。
【０００５】
半蓋体５’の板部５ｃの内面５ｃ１に形成された嵌合リブ５ｄは、折り畳みコンテナーの本体Ｃの開口部、即ち、額縁状の上部フレーム１の相対する長辺枠１ａと相対する短辺枠１ｂとにより形成される開口部に嵌合される。嵌合リブ５ｄが、上部フレーム１の開口部に嵌合された際には、短辺嵌合リブ部５ｄ１が、上部フレーム１の短辺枠１ｂの平坦な垂直内面１ｂ１に接近して配置されるように構成されており、従って、折り畳みコンテナーの本体Ｃの開口部、即ち、額縁状の上部フレーム１の開口部を、一対の半蓋体５’で被蓋した際に、半蓋体５’が水平方向に移動し、がたつかないように構成されている。
【０００６】
上述した構成を有する折り畳みコンテナーは、例えば、特開２００１−８２４４５号公報、実公昭５８−３１６６８号公報、特開平１１−３５０３４号公報等に開示されている。
【０００７】
【発明が解決しようとする課題】
上述した従来の折り畳みコンテナーにおいては、一対の半蓋体５’が、折り畳みコンテナーの本体Ｃの開口部、即ち、額縁状の上部フレーム１の開口部に嵌合された際には、半蓋体５’の板部５ｃの内面５ｃ１に形成された嵌合リブ５ｄの短辺嵌合リブ部５ｄ１が、上部フレーム１の短辺枠１ｂの平坦な垂直内面１ｂ１に接近して配置されるように構成されているので、上部フレーム１が変形している場合には、嵌合リブ５ｄの短辺嵌合リブ部５ｄ１が、上部フレーム１の短辺枠１ｂの平坦な垂直内面１ｂ１に当接し、上部フレーム１への半蓋体５’の嵌合がきつくなって、上部フレーム１への半蓋体５’の嵌合作業や蓋開け作業の作業性が悪くなるという問題があり、また、上部フレーム１の変形により、上部フレーム１への半蓋体５’の嵌合ができなくなるという問題があった。
【０００８】
また、蓋が配設されていない折り畳みコンテナーにおいても、上部フレーム１が変形していると、箱型に組み立てられた状態或いは折り畳まれた状態の折り畳みコンテナーを段積みした際に、上に位置する折り畳みコンテナーの底部２の嵌合部が、下に位置する折り畳みコンテナーの上部フレーム１に嵌合し難いという問題があった。
【０００９】
本発明の目的は、上述した従来の折り畳みコンテナーが有する課題を解決することにある。
【００１０】
【課題を解決するための手段】
本発明は、上述した目的を達成するために、上部フレームと、底部と、はね上げ側壁と、上部分割側壁と下部分割側壁とからなる分割側壁とを有する折り畳みコンテナーにおいて、蓋或いは底部の上部フレームへの嵌合を容易にするために、上部フレームの平坦な垂直内面に、該垂直内面を外側に凹ますことにより、凹部を形成したものである。
【００１１】
【実施例】
以下に、本発明の実施例について説明するが、本発明の趣旨を越えない限り何ら、本実施例に限定されるものではない。また、本発明の折り畳みコンテナーは、上部フレームの構成が、上述した従来の折り畳みコンテナーの上部フレームと異なる以外は、実質的に同じ構成を有しているので、同じ構成部材については、同じ符号を使用するとともに、その詳細な説明は省略する。
【００１２】
本実施例においても、折り畳みコンテナーの本体Ｃは、上述した従来の折り畳みコンテナーの本体Ｃと同様に、上部フレーム１と、底部２と、上部フレーム１にその上端部がヒンジ連結されたはね上げ側壁３と、上部分割側壁４’と下部分割側壁４”とからなる分割側壁４とにより構成されており、また、折り畳みコンテナーの本体Ｃに被蓋される蓋５を構成する一対の半蓋体５’も、その直線状の長辺部５ａが、ヒンジ部材Ｈ１を介して、上部フレーム１の相対する長辺枠１ａにヒンジ連結されている。また、上述した従来の折り畳みコンテナーの半蓋体５’と同様に、半蓋体５’の略横長の長方形状の板部５ｃの内面５ｃ１には、少なくとも、半蓋体５’の相対する短辺部５ｅに平行な一対の短辺嵌合リブ部５ｄ１と、必要に応じて適宜、半蓋体５’の直線状の長辺部５ｂに平行な長辺嵌合リブ部５ｄ１２とを有する嵌合リブ５ｄが形成されている。
【００１３】
本実施例においては、上述した従来の折り畳みコンテナーの本体Ｃを構成する上部フレーム１の短辺枠１ｂの平坦な垂直内面１ｂ１の中央領域に、垂直内面１ｂ１を外側に凹ますことにより、凹部６が形成されている。凹部６は、垂直内面１ｂ１と略平行な凹部内面６ａ、及び、凹部内面６ａの両側端と、凹部内面６ａ側の垂直内面１ｂ１の端部とを連結する、相対する凹部側面６ｂとにより形成されている。
【００１４】
上述したように、上部フレーム１の短辺枠１ｂの平坦な垂直内面１ｂ１の中央領域に、垂直内面１ｂ１を外側に凹ますことにより、凹部６が形成されているので、上部フレーム１が多少変形しても、半蓋体５’に形成された嵌合リブ５ｄの短辺嵌合リブ部５ｄ１が、上部フレーム１の短辺枠１ｂの平坦な垂直内面１ｂ１に当接するようなことがなく、従って、上部フレーム１への半蓋体５’の嵌合がきつくなって、上部フレーム１への半蓋体５’の嵌合作業や蓋開け作業の作業性が悪くなるというようなことを防止することができるとともに、上部フレーム１の変形により、上部フレーム１への半蓋体５’の嵌合ができなくなるというような問題を解消することができる。
【００１５】
上部フレーム１の短辺枠１ｂの平坦な垂直内面１ｂ１の中央領域に形成されている凹部６の横幅Ｗ１は、相対する短辺枠１ｂの内幅Ｗ２の１／３程度から３／４程度に形成されていることが好ましい。凹部６の横幅Ｗ１が、短辺枠１ｂの内幅Ｗ２の１／３程度より狭いと、上部フレーム１の変形を十分に吸収することができず、また、凹部６の横幅Ｗ１が、短辺枠１ｂの内幅Ｗ２の３／４程度より広いと、折り畳みコンテナーの本体Ｃの開口部、即ち、額縁状の上部フレーム１の開口部に嵌合された半蓋体５’が、過度にがたつくことになるので好ましくない。
【００１６】
上述した実施例には、蓋５が、一対の半蓋体５’により構成されている例が示されているが、蓋５を、一枚の蓋として形成することができる。この場合には、蓋５の一方の長辺部が、上述したようなヒンジ部材Ｈ１により、上部フレーム１の一方の長辺枠１ａにヒンジ連結されることになる。
【００１７】
また、上述したように、上部フレーム１の短辺枠１ｂの平坦な垂直内面１ｂ１の中央領域に、垂直内面１ｂ１を外側に凹ますことにより、凹部６が形成されているので、上部フレーム１が多少変形しても、箱型に組み立てられた状態或いは折り畳まれた状態の折り畳みコンテナーを段積みした際に、上に位置する折り畳みコンテナーの底部２の嵌合部を、下に位置する折り畳みコンテナーの上部フレーム１に容易に嵌合することができ、従って、折り畳みコンテナーの段積み作業の作業性が向上する。なお、折り畳みコンテナー同士の段積みの際に、上に位置する折り畳みコンテナーの底部２の嵌合部が、下に位置する折り畳みコンテナーの上部フレーム１に容易に嵌合可能なように、上記の短辺枠１ｂの平坦な垂直内面１ｂ１の中央領域に形成された凹部６に代えて、或いは、凹部６に追加して、上部フレーム１の長辺枠１ａの平坦な垂直内面の中央領域に、垂直内面を外側に凹ますことにより、凹部を形成することもできる。
【００１８】
【発明の効果】
本発明は、以上説明したように構成されているので、以下に記載されるような効果を奏する。
【００１９】
上部フレームの平坦な垂直内面に、該垂直内面を外側に凹ますことにより、凹部を形成したので、上部フレームへの蓋の嵌合がきつくなって、上部フレームへの蓋の嵌合作業や蓋開け作業の作業性が悪くなるというようなことを防止することができるとともに、上部フレームの変形により、上部フレームへの蓋の嵌合ができなくなるというような問題を解消することができる。
【００２０】
上部フレームの平坦な垂直内面に、該垂直内面を外側に凹ますことにより、凹部を形成したので、蓋が配設されていない折り畳みコンテナーを段積みする際に、上に位置する折り畳みコンテナーの底部の嵌合部を、下に位置する折り畳みコンテナーの上部フレームに容易に嵌合することができ、従って、折り畳みコンテナーの段積み作業の作業性が向上する。
【図面の簡単な説明】
【図１】図１は、本発明の折り畳みコンテナーが箱型に組み立てられ、且つ、蓋が開けられた状態の斜視図である。
【図２】図２は、従来の折り畳みコンテナーが箱型に組み立てられ、且つ、蓋で被蓋された状態の斜視図である。
【図３】図３は、従来の折り畳みコンテナーが箱型に組み立てられ、且つ、蓋が開けられた状態の斜視図である。
【図４】図４は、従来の折り畳みコンテナーの組み立て途中或いは折り畳み途中の斜視図である。
【図５】図５は、従来の折り畳みコンテナーが折り畳まれた状態の斜視図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５・・・・・・・・蓋
５’・・・・・・・半蓋体
５ｄ・・・・・・・嵌合リブ
６・・・・・・・・凹部
【図１】
2004161303.tif 000003
【図２】
2004161303.tif 000004
【図３】
2004161303.tif 000005
【図４】
2004161303.tif 000006
【図５】
2004161303.tif 000007